(57)【要約】      （修正有）【課題】上下２段（３段）に物品を収納できて組み立て、解体が容易な紙製の組立式収納箱を提供する。【解決手段】組立式収納箱１は前面が開口した縦長直方体状の箱を水平な仕切り用棚板１０１にて上下２空間に分割し、それぞれの空間に前面より物品を収納、取り出しできるようにした２段式の組立式収納箱である。組立式収納箱１は３種類の所定の形状に裁断したダンボール紙や厚紙を折り曲げ、折り重ね、組み合わせることで組み立てられる。組み立てに接着剤やファスナー等は必要としない。【選択図】図１
0003183342.tif 000002
【実用新案登録請求の範囲】
【請求項１】
棚板で上下に仕切った空間に物品を前面より収納する紙製の四角い組立式収納箱であって、
前面が開口した収納箱の左右両側面、上面、下面、背面を構成する本体板材（２）と、収納箱を上下に仕切る棚板材（３）と、収納箱の上面、下面を補強する２式の補強板材（４ａ、４ｂ）とからなり、
前記本体板材（２）は縦長の背面板（Ａ１）の相対向する左、右辺に折り線（５、６）を介して接続した対称形状の左側板（Ａ２）、右側板（Ａ３）と、
該左側板（Ａ２）、右側板（Ａ３）における背面板（Ａ１）と反対側辺に折り線（７、８）を介し、上下に前記棚板の厚みに相当する間隔を開け、前記左、右側板（Ａ２、Ａ３）の横幅に等しい横幅で接続した左上段フラップ（Ｂ１）、左下段フラップ（Ｂ２）、右上段フラップ（Ｂ３）、右下段フラップ（Ｂ４）と、
前記左側板（Ａ２）、右側板（Ａ３）の上、下辺に折り線（９、１０）、（１１、１２）を介して接続した左上辺フラップ（Ｃ１）、左下辺フラップ（Ｃ２）及び右上辺フラップ（Ｃ３）、右下辺フラップ（Ｃ４）と、
前記背面板（Ａ１）の相対向する上、下辺に折り線（１３、１４）を介して接続した上面板（Ｄ１）、下面板（Ｄ２）と、
該上面板（Ｄ１）、下面板（Ｄ２）における背面板（Ａ１）と反対側辺から折り線（１５、１６）を介して前記補強板材（４ａ、４ｂ）の５乃至６枚分の厚み幅で延出する上面幅片（Ｅ１）、下面幅片（Ｅ２）と、
該上面幅片（Ｅ１）、下面幅片（Ｅ２）における前記上面板（Ｄ１）、下面板（Ｄ２）と反対側辺に折り線（１７、１８）を介して接続した上面フラップ（Ｆ１）、下面フラップ（Ｆ２）とが一平面状に形成されており、
前記棚板材（３）は横幅が前記背面板（Ａ１）の横幅に等しく、それと直角方向幅が前記左側板（Ａ２）、右側板（Ａ３）の横幅に等しい棚板上片（Ｌ１）と棚板下片（Ｌ２）とが前記棚板の厚みに相当する直角方向幅の棚板間隔片（Ｍ１）を間に挟んで上下の折り線（２３、２４）を介して接続され、
前記棚板上片（Ｌ１）と棚板下片（Ｌ２）における棚板間隔片（Ｍ１）とは反対側の辺には折り線（２５、２６）を介して棚板上補強板（Ｎ１）、棚板下補強板（Ｎ２）が接続され、
前記棚板上片（Ｌ１）と棚板下片（Ｌ２）の各左、右辺には折り線（２７、２８）、（２９、３０）を介して棚板上左フラップ（Ｐ１）、棚板上右フラップ（Ｐ２）及び棚板下左フラップ（Ｐ３）、棚板下右フラップ（Ｐ４）が接続されて一平面状に形成されており、
前記各補強板材（４ａ、４ｂ）は前記上面板（Ｄ１）、下面板（Ｄ２）と同一形状の
補強下板（Ｊ１）と補強上板（Ｊ２）とが折り線（２０）を介して接続され、
該補強下板（Ｊ１）、補強上板（Ｊ２）における折り線（２０）と対向する辺には折り線（２１、２２）を介して補強板上フラップ（Ｈ１）、補強板下フラップ（Ｈ２）が接続され、
補強下板（Ｊ１）の左、右辺には折り線（２３、２４）を介して補強板左フラップ（Ｋ１）、補強板右フラップ（Ｋ２）が接続されて一平面状に形成されており、
組み立てる際は、前準備として前記棚板材（３）は棚板上補強板（Ｎ１）、棚板下補強板（Ｎ２）をそれぞれ棚板上片（Ｌ１）、棚板下片（Ｌ２）の背面側に折り線（２５、２６）にて折り重ねた上で棚板上片（Ｌ１）、棚板下片（Ｌ２）を棚板上補強板（Ｎ１）、棚板下補強板（Ｎ２）を間に挟んで折り線（２３、２４）にて折り重ね、棚板上左フラップ（Ｐ１）、棚板上右フラップ（Ｐ２）は折り線（２７、２８）にて棚板上片（Ｌ１）の表面側に、棚板下左フラップ（Ｐ３）、棚板下右フラップ（Ｐ４）は折り線（２９、３０）にて棚板下片（Ｌ２）の表面側にそれぞれ直角に折り曲げておき、
前記各補強板材（４ａ、４ｂ）も前準備として補強板上フラップ（Ｈ１）は折り線（２１）にて補強上板（Ｊ２）の表面側に、補強板下フラップ（Ｈ２）は折り線（２２）にて補強下板（Ｊ１）の表面側に折り重ね、その状態にて補強上板（Ｊ２）を折り線（２０）にて補強下板（Ｊ１）の表面側に折り重ね、補強板左フラップ（Ｋ１）、補強板右フラップ（Ｋ２）は折り線（２３、２４）にて補強下板（Ｊ１）の裏面側に直角に折り曲げておき、
次に、全体組み立てに移り、前記本体板材（２）の左側板（Ａ２）、右側板（Ａ３）をそれぞれ折り線（５、６）にて背面板（Ａ１）の表面側に直角に折り曲げ、
続いて前記前準備した棚板材（３）を背面板（Ａ１）の上下方向中間位置に仮配置した状態にして左上段フラップ（Ｂ１）、左下段フラップ（Ｂ２）及び右上段フラップ（Ｂ３）、右下段フラップ（Ｂ４）をそれぞれ折り線（７、８）にて左側板（Ａ２）、右側板（Ａ３）の表面側に折り曲げ、仮配置した棚板材（３）の棚板上左フラップ（Ｐ１）、棚板下左フラップ（Ｐ３）及び棚板上右フラップ（Ｐ２）、棚板下右フラップ（Ｐ４）を背面板（Ａ１）との間に挟んだ状態で折り重ねて棚板材（３）を固定することにより棚板部を組み立て、
続いて、前記前準備した補強板材（４ａ）をその補強板左フラップ（Ｋ１）、補強板右フラップ（Ｋ２）をそれぞれ左上段フラップ（Ｂ１）と背面板（Ａ１）、右上段フラップ（Ｂ３）と背面板（Ａ１）の重なり部の隙間に差し込んで補強板材（４ａ）を背面板（Ａ１）の上端部に取り付け、その補強板材（４ａ）の上に左上辺フラップ（Ｃ１）、右上辺フラップ（Ｃ３）をそれぞれ折り線（９、１１）にて直角に折り曲げて重ね、続いてその重ねた上に上面板（Ｄ１）を折り線（１３）にて直角に折り曲げて重ね、更に上面幅片（Ｅ１）を上下の折り線（１５、１７）にて２回、直角に折り曲げて上面フラップ（Ｆ１）で前記取り付けた補強板材（４ａ）の下面側を覆うことにより収納箱の上面部を組み立て、
続けて、収納箱の下面部を前記上面部とは上下反対方向に上面部と同様手順で組み立てることにより収納箱を完成させるように構成されていることを特徴とする紙製の組立式収納箱。
【請求項２】
請求項１に記載の紙製の組立式収納箱において、前記左側板（Ａ２）、右側板（Ａ３）における背面板（Ａ１）の上下方向長さを前記左上段フラップ（Ｂ１）の上下方向長さに前記棚板の厚み分を加えた長さだけ長く形成し、前記左上段フラップ（Ｂ１）と左下段フラップ（Ｂ２）の間、及び右上段フラップ（Ｂ３）と右下段フラップ（Ｂ４）との間に左上段フラップ（Ｂ１）と同形状の左中段フラップ（Ｂ５）、右中段フラップ（Ｂ６）を上下のフラップとの間に棚板の厚み分の間隔を開けてそれぞれ追加取り付けし、前記棚板材（３）の個数を１個増やして上下方向に隣り合うフラップの２つの各間隔にそれら棚板材（３）を請求項１に記載と同様の方法にて取り付けることにより上下方向に３個の収納空間が形成されるように構成されていることを特徴とする紙製の組立式収納箱。
【請求項３】
請求項１又は２に記載の紙製の組立式収納箱において、前記上面フラップ（Ｆ１）の左右の上端部には幅方向への突起（Ｑ１、Ｑ２）を、前記下面フラップ（Ｆ２）の左右の下端部にも幅方向への突起（Ｑ３、Ｑ４）を設け、前記左上段フラップ（Ｂ１）の左上端部と右上段フラップ（Ｂ３）の右上端部に切欠き（Ｒ１、Ｒ２）を、前記左下段フラップ（Ｂ２）と右下段フラップ（Ｂ４）の右下端部にも同様の切欠き（Ｒ３、Ｒ４）を設け、組み立てた状態においては前記上面フラップ（Ｆ１）の左右の突起（Ｑ１、Ｑ２）がそれぞれ前記左上段フラップ（Ｂ１）、右上段フラップＢ３のそれぞれの切欠き（Ｒ１、Ｒ２）に嵌まり込むことにより上面フラップ（Ｆ１）及び左上段フラップ（Ｂ１）、右上段フラップ（Ｂ３）が折り畳まれた状態から開くことが阻止され、前記下面フラップ（Ｆ２）の左右の突起（Ｑ３、Ｑ４）がそれぞれ前記左下段フラップ（Ｂ２）、右下段フラップ（Ｂ４）のそれぞれの切欠き（Ｒ３、Ｒ４）に嵌まり込むことにより下面フラップ（Ｆ２）及び左下段フラップ（Ｂ２）、右下段フラップ（Ｂ４）が折り畳まれた状態から開くことが阻止されるように構成されていることを特徴とする紙製の組立式収納箱。
【考案の詳細な説明】
【技術分野】
【０００１】
本考案は、直立に置いた状態にて上下２段、３段に物品を収納できる紙製の組立式収納箱に関する。
【背景技術】
【０００２】
家庭で生活用品や小物等の物品を分類保管しておくための簡易な物品収納箱として縦長の四角空間を棚板で上下方向に２段、３段に仕切り、正面開口から物品を出し入れする収納箱が用いられる。従来の収納箱はある程度重量のある物品を収納でき、且つ、耐久性をもたせることを考慮してその殆どが木材、合成樹脂、金属板等の硬質材料で構成されている（例えば、特許文献１、２、３参照）。その構造には固定構造式と組立式とがある。固定構造式は堅牢に製作できるが運搬に不便であり、使用しなくなった場合の保管や廃棄が面倒である。組立式は運搬に便利で使用直前に短時間で組み立てでき、不使用時は分解して小スペースに保管できる便利さがある。しかし、従来の硬質材料を使用した棚板付きの組立式収納箱は、構造が複雑で大がかりになる欠点がある。
【０００３】
比較的軽量な物品の収納を目的とし、且つ耐久性をそれ程要求されない収納箱として厚紙やダンボールを使用した収納箱が考えられる。しかし、厚紙やダンボールを使用した従来の箱は、殆どが仕切り用の棚板を有しない１空間のみの箱である。この箱で複数種類の物品を収納するには、箱を複数個積み上げたり、複数個横に並べたりする必要があり不便、且つ見栄えも悪い。
【先行技術文献】
【特許文献】
【０００４】
【特許文献１】実用新案登録第３１８１２４３号公報
【特許文献２】特開２０１３−２３２７６号公報
【特許文献３】特開２００９−２６１７７５号公報
【考案の開示】
【考案が解決しようとする課題】
【０００５】
本考案は、こうした背景からなされたもので、その課題は、直立に置いた状態にて上下２段、３段に物品を収納でき、接着剤やファスナーを用いることなく、また特別の工具を必要とすることなく組み立て、解体が容易にできる紙製の組立式収納箱を提供することにある。
【課題を解決するための手段】
【０００６】
前記課題を解決するための請求項１に記載の考案は、棚板で上下に仕切った空間に物品を前面より収納する紙製の四角い組立式収納箱であって、前面が開口した収納箱の左右両側面、上面、下面、背面を構成する本体板材（２）と、収納箱を上下に仕切る棚板材（３）と、収納箱の上面、下面を補強する２式の補強板材（４ａ、４ｂ）とからなり、本体板材（２）は縦長の背面板（Ａ１）の相対向する左、右辺に折り線（５、６）を介して接続した対称形状の左側板（Ａ２）、右側板（Ａ３）と、該左側板（Ａ２）、右側板（Ａ３）における背面板（Ａ１）と反対側辺に折り線（７、８）を介し、上下に棚板の厚みに相当する間隔を開け、左、右側板（Ａ２、Ａ３）の横幅に等しい横幅で接続した左上段フラップ（Ｂ１）、左下段フラップ（Ｂ２）、右上段フラップ（Ｂ３）、右下段フラップ（Ｂ４）と、左側板（Ａ２）、右側板（Ａ３）の上、下辺に折り線（９、１０）、（１１、１２）を介して接続した左上辺フラップ（Ｃ１）、左下辺フラップ（Ｃ２）及び右上辺フラップ（Ｃ３）、右下辺フラップ（Ｃ４）と、背面板（Ａ１）の相対向する上、下辺に折り線（１３、１４）を介して接続した上面板（Ｄ１）、下面板（Ｄ２）と、該上面板（Ｄ１）、下面板（Ｄ２）における背面板（Ａ１）と反対側辺から折り線（１５、１６）を介して補強板材（４ａ、４ｂ）の５乃至６枚分の厚み幅で延出する上面幅片（Ｅ１）、下面幅片（Ｅ２）と、該上面幅片（Ｅ１）、下面幅片（Ｅ２）における上面板（Ｄ１）、下面板（Ｄ２）と反対側辺に折り線（１７、１８）を介して接続した上面フラップ（Ｆ１）、下面フラップ（Ｆ２）とが一平面状に形成されており、前記棚板材（３）は横幅が背面板（Ａ１）の横幅に等しく、それと直角方向幅が左側板（Ａ２）、右側板（Ａ３）の横幅に等しい棚板上片（Ｌ１）と棚板下片（Ｌ２）とが棚板の厚みに相当する直角方向幅の棚板間隔片（Ｍ１）を間に挟んで上下の折り線（２３、２４）を介して接続され、棚板上片（Ｌ１）と棚板下片（Ｌ２）における棚板間隔片（Ｍ１）とは反対側の辺には折り線（２５、２６）を介して棚板上補強板（Ｎ１）、棚板下補強板（Ｎ２）が接続され、棚板上片（Ｌ１）と棚板下片（Ｌ２）の各左、右辺には折り線（２７、２８）、（２９、３０）を介して棚板上左フラップ（Ｐ１）、棚板上右フラップ（Ｐ２）及び棚板下左フラップ（Ｐ３）、棚板下右フラップ（Ｐ４）が接続されて一平面状に形成されており、前記各補強板材（４ａ、４ｂ）は上面板（Ｄ１）、下面板（Ｄ２）と同一形状の補強下板（Ｊ１）と補強上板（Ｊ２）とが折り線（２０）を介して接続され、該補強下板（Ｊ１）、補強上板（Ｊ２）における折り線（２０）と対向する辺には折り線（２１、２２）を介して補強板上フラップ（Ｈ１）、補強板下フラップ（Ｈ２）が接続され、補強下板（Ｊ１）の左、右辺には折り線（２３、２４）を介して補強板左フラップ（Ｋ１）、補強板右フラップ（Ｋ２）が接続されて一平面状に形成されており、組み立てる際は、前準備として前記棚板材（３）は棚板上補強板（Ｎ１）、棚板下補強板（Ｎ２）をそれぞれ棚板上片（Ｌ１）、棚板下片（Ｌ２）の背面側に折り線（２５、２６）にて折り重ねた上で棚板上片（Ｌ１）、棚板下片（Ｌ２）を棚板上補強板（Ｎ１）、棚板下補強板（Ｎ２）を間に挟んで折り線（２３、２４）にて折り重ね、棚板上左フラップ（Ｐ１）、棚板上右フラップ（Ｐ２）は折り線（２７、２８）にて棚板上片（Ｌ１）の表面側に、棚板下左フラップ（Ｐ３）、棚板下右フラップ（Ｐ４）は折り線（２９、３０）にて棚板下片（Ｌ２）の表面側にそれぞれ直角に折り曲げておき、前記各補強板材（４ａ、４ｂ）も前準備として補強板上フラップ（Ｈ１）は折り線（２１）にて補強上板（Ｊ２）の表面側に、補強板下フラップ（Ｈ２）は折り線（２２）にて補強下板（Ｊ１）の表面側に折り重ね、その状態にて補強上板（Ｊ２）を折り線（２０）にて補強下板（Ｊ１）の表面側に折り重ね、補強板左フラップ（Ｋ１）、補強板右フラップ（Ｋ２）は折り線（２３、２４）にて補強下板（Ｊ１）の裏面側に直角に折り曲げておき、次に、全体組み立てに移り、本体板材（２）の左側板（Ａ２）、右側板（Ａ３）をそれぞれ折り線（５、６）にて背面板（Ａ１）の表面側に直角に折り曲げ、続いて前準備した棚板材（３）を背面板（Ａ１）の上下方向中間位置に仮配置した状態にして左上段フラップ（Ｂ１）、左下段フラップ（Ｂ２）及び右上段フラップ（Ｂ３）、右下段フラップ（Ｂ４）をそれぞれ折り線（７、８）にて左側板（Ａ２）、右側板（Ａ３）の表面側に折り曲げ、仮配置した棚板材（３）の棚板上左フラップ（Ｐ１）、棚板下左フラップ（Ｐ３）及び棚板上右フラップ（Ｐ２）、棚板下右フラップ（Ｐ４）を背面板（Ａ１）との間に挟んだ状態で折り重ねて棚板材（３）を固定することにより棚板部を組み立て、続いて、前準備した補強板材（４ａ）をその補強板左フラップ（Ｋ１）、補強板右フラップ（Ｋ２）をそれぞれ左上段フラップ（Ｂ１）と背面板（Ａ１）、右上段フラップ（Ｂ３）と背面板（Ａ１）の重なり部の隙間に差し込んで補強板材（４ａ）を背面板（Ａ１）の上端部に取り付け、その補強板材（４ａ）の上に左上辺フラップ（Ｃ１）、右上辺フラップ（Ｃ３）をそれぞれ折り線（９、１１）にて直角に折り曲げて重ね、続いてその重ねた上に上面板（Ｄ１）を折り線（１３）にて直角に折り曲げて重ね、更に上面幅片（Ｅ１）を上下の折り線（１５、１７）にて２回、直角に折り曲げて上面フラップ（Ｆ１）で前記取り付けた補強板材（４ａ）の下面側を覆うことにより収納箱の上面部を組み立て、続けて、収納箱の下面部を上面部とは上下反対方向に上面部と同様手順で組み立てることにより収納箱を完成させるように構成されていることを特徴とする紙製の組立式収納箱である。
【０００７】
このような構成の収納箱は全て紙で構成されており、接着剤やファスナーを用いることなく、また特別の工具も用いずに容易に組み立て、解体できる利点を有する。内部は棚板で上下２段に仕切られており、比較的軽量な物品を分類して収納しておくのに適している。
【０００８】
また、請求項２に記載の考案は、請求項１に記載の紙製の組立式収納箱において、左側板（Ａ２）、右側板（Ａ３）における背面板（Ａ１）の上下方向長さを左上段フラップ（Ｂ１）の上下方向長さに棚板の厚み分を加えた長さだけ長く形成し、左上段フラップ（Ｂ１）と左下段フラップ（Ｂ２）の間、及び右上段フラップ（Ｂ３）と右下段フラップ（Ｂ４）との間に左上段フラップ（Ｂ１）と同形状の左中段フラップ（Ｂ５）、右中段フラップ（Ｂ６）を上下のフラップとの間に棚板の厚み分の間隔を開けてそれぞれ追加取り付けし、棚板材（３）の個数を１個増やして上下方向に隣り合うフラップの２つの各間隔にそれら棚板材（３）を請求項１に記載と同様の方法にて取り付けることにより上下方向に３個の収納空間が形成されるように構成されていることを特徴とする紙製の組立式収納箱である。
【０００９】
このような構成の収納箱も全て紙で構成されており、接着剤やファスナーを用いることなく、また特別の工具も用いずに容易に組み立て、解体できる利点を有する。内部は棚板で上下３段に仕切られており、比較的軽量な物品を分類して収納しておくのに適している。
【００１０】
また、請求項２に記載の考案は、請求項１又は２に記載の紙製の組立式収納箱において、前記上面フラップ（Ｆ１）の左右の上端部には幅方向への突起（Ｑ１、Ｑ２）を、下面フラップ（Ｆ２）の左右の下端部にも幅方向への突起（Ｑ３、Ｑ４）を設け、左上段フラップ（Ｂ１）の左上端部と右上段フラップ（Ｂ３）の右上端部に切欠き（Ｒ１、Ｒ２）を、左下段フラップ（Ｂ２）と右下段フラップ（Ｂ４）の右下端部にも同様の切欠き（Ｒ３、Ｒ４）を設け、組み立てた状態においては前記上面フラップ（Ｆ１）の左右の突起（Ｑ１、Ｑ２）がそれぞれ左上段フラップ（Ｂ１）、右上段フラップＢ３のそれぞれの切欠き（Ｒ１、Ｒ２）に嵌まり込むことにより上面フラップ（Ｆ１）及び左上段フラップ（Ｂ１）、右上段フラップ（Ｂ３）が折り畳まれた状態から開くことが阻止され、下面フラップ（Ｆ２）の左右の突起（Ｑ３、Ｑ４）がそれぞれ左下段フラップ（Ｂ２）、右下段フラップ（Ｂ４）のそれぞれの切欠き（Ｒ３、Ｒ４）に嵌まり込むことにより下面フラップ（Ｆ２）及び左下段フラップ（Ｂ２）、右下段フラップ（Ｂ４）が折り畳まれた状態から開くことが阻止されるように構成されていることを特徴とする紙製の組立式収納箱である。
【００１１】
このような構成によれば上面フラップ（Ｆ１）と下面フラップ（Ｆ２）、及び左上段フラップ（Ｂ１）、右上段フラップ（Ｂ３）、左下段フラップ（Ｂ２）、右下段フラップ（Ｂ４）が折り畳まれた状態から開くことが阻止される。
【図面の簡単な説明】
【００１２】
【図１】本考案に係る組立式収納箱１の組み立て完了後の外観斜視図である。
【図２】組立式収納箱１の本体板材２の展開図である。
【図３】収納箱１を上下に仕切る棚板材３の展開図である。
【図４】収納箱１の上面１０５を補強するための補強板材４ａの展開図である。
【図５】棚板材３の折り畳み方の説明図である。
【図６】折り畳んだ状態の棚板材３の斜視図である。
【図７】補強板材４ａの折り畳み方の説明図である。
【図８】折り畳んだ状態の補強板材４ａの斜視図である。
【図９】本体板材２の左側板Ａ２、右側板Ａ３を折り曲げた状態の斜視図である。
【図１０】棚板材３の取り付け方の説明図である。
【図１１】補強板材４ａ取り付け方の説明図である。
【図１２】上面板Ｄ１と上面フラップＦ１の折り畳み方の説明図である。
【図１３】左上段フラップＢ１の切欠きＲ１と上面フラップＦ１の突起Ｑ１、Ｑ２の説明図である。
【図１４】第２の実施形態に係る組立式収納箱１ａの組み立て完了後の外観斜視図である。
【図１５】組立式収納箱１ａの本体板材２ａの展開図である。
【考案を実施するための形態】
【００１３】
以下、本考案に係る紙製の組立式収納箱の構成例について実施形態に分けて説明する。
（第１の実施形態）
図１は、本実施形態の組立式収納箱１の組み立て完了後の外観斜視図である。この組立式収納箱１は前面が開口した縦長直方体状の箱を水平な仕切り用棚板１０１にて上下２空間に分割し、それぞれの空間に前面より物品を収納、取り出しできるようにした２段式の組立式収納箱である。組立式収納箱１は３種類の所定の形状に裁断したダンボール紙や厚紙を折り曲げ、折り重ね、組み合わせることで組み立てられる。組み立てに接着剤やファスナー等は必要としない。
【００１４】
図２は組立式収納箱１の左側面１０２、右側面１０３、背面１０４、上面（天井）１０５、下面（底面）１０６を構成する本体板材２の展開図、図３は収納箱１を上下に仕切る棚板１０１を構成する棚板材３の展開図、図４は収納箱１の上面１０５を補強するための補強板材４ａの展開図であり、補強板材４ａと同形状のもう一枚の補強板材４ｂが下面１０６を補強するために使用される。
【００１５】
最初に本体板材２の構成を図２の展開図を参照して説明する。本体板材２の中央には収納箱１の背面１０３を構成する縦長の背面板Ａ１が配され、その左右には左側面１０２、右側面１０３を構成する左側板Ａ２、右側板Ａ３が折り線５、６を介して接続されている。左側板Ａ２、右側板Ａ３における背面板Ａ１と反対側辺にはそれぞれ折り線７、８を介して左上段フラップＢ１、左下段フラップＢ２と右上段フラップＢ３、右下段フラップＢ４が接続されている。各フラップの横幅は左、右側板Ａ２、Ａ３の横幅に等しくしてあり、上下方向幅は左、右側板Ａ２、Ａ３の上下方向幅の略１／２に等しくして上下のフラップ間には棚板１０１の厚みに相当する間隔が設けてある。
【００１６】
左側板Ａ２の上、下辺には折り線９、１０を介して左上辺フラップＣ１、左下辺フラップＣ２が接続してある。各フラップの横幅は左側板Ａ２の横幅に等しく、それと直角方向の幅は背面板Ａ１の横幅の１／２に形成してある。右側板Ａ３の上、下辺にも同様に折り線１１、１２を介して同形状の右上辺フラップＣ３、右下辺フラップＣ４が接続してある。
【００１７】
本体板材２の背面板Ａ１の上下には上面１０５、下面１０６を構成する板材が接続されている。まず、背面板Ａ１の上、下辺には折り線１３、１４を介して上面板Ｄ１、下面板Ｄ２が接続されている。上面板Ｄ１、下面板Ｄ２は、最終的に収納箱１の上面１０５、下面１０６の最外面を覆うこととなる板材である。上面板Ｄ１、下面板Ｄ２における背面板Ａ１と反対側辺にはそれぞれ折り線１５、１６を介して補強板材４ａ、４ｂの５乃至６枚分の厚み幅で延出する上面幅片Ｅ１、下面幅片Ｅ２が接続されている。更に、その上面幅片Ｅ１、下面幅片Ｅ２における上面板Ｄ１、下面板Ｄ２と反対側辺には、それぞれ折り線１７、１８を介して上面フラップＦ１、下面フラップＦ２が接続されている。上面フラップＦ１、下面フラップＦ２の外形寸法は上面板Ｄ１、下面板Ｄ２のそれに略等しく形成されており、最終的には収納箱１の上面１０５、下面１０６の内側を覆うこととなる。
【００１８】
次に、収納箱１を上下に仕切る棚板材３の構成を図３の展開図を参照して説明する。中央部には最終的に棚板１０１の上、下面を構成することとなる棚板上片Ｌ１と棚板下片Ｌ２とが、棚板１０１の厚みに相当する直角方向幅を有する棚板間隔片Ｍ１を間に挟んでその上下の折り線２３、２４を介して接続されている。棚板上片Ｌ１、棚板下片Ｌ２の横幅は背面板Ａ１の横幅に等しく、上下幅は棚板材３の左側板Ａ２、右側板Ａ３の横幅に等しくしてある。更に、棚板上片Ｌ１、棚板下片Ｌ２における棚板間隔片Ｍ１とは反対側の辺にはそれぞれ折り線２５、２６を介して棚板上補強板Ｎ１、棚板下補強板Ｎ２が接続されている。棚板上補強板Ｎ１、棚板下補強板Ｎ２は棚板上片Ｌ１、棚板下片Ｌ２を折り重ねた状態でその間に挟み込まれるように棚板上片Ｌ１、棚板下片Ｌ２より僅かに小さい形状に形成されている。そして、棚板上片Ｌ１、棚板下片Ｌ２の各左、右辺には折り線２７、２８、２９、３０を介して棚板上左フラップＰ１、棚板上右フラップＰ２及び棚板下左フラップＰ３、棚板下右フラップＰ４が接続されている。これら各フラップは同一形状であり、折り線を底辺とする横長台形状に形成されている。
【００１９】
次に、収納箱１の上面１０５、下面１０６を補強するための同一形状の補強板材４ａ、４ｂの構成を図４の展開図を参照して説明する。補強板材４ａは本体板材２の上面板Ｄ１、下面板Ｄ２と同一形状の補強下板Ｊ１と補強上板Ｊ２とが折り線２０を介して接続されている。そして補強下板Ｊ１、補強上板Ｊ２における折り線２０に対向する辺には折り線２１、２２を介して補強板上フラップＨ１、補強板下フラップＨ２が接続され、補強下板Ｊ１の左、右辺には折り線２３、２４を介して補強板左フラップＫ１、補強板右フラップＫ２が接続されている。補強板上フラップＨ１、補強板下フラップＨ２は折り線を長辺とする長方形に形成され、補強板左フラップＫ１、補強板右フラップＫ２は折り線を底辺とする横長台形状に形成されている。
【００２０】
次に、これら本体板材２、棚板材３、補強板材４ａ、４ｂを用いて図１に示した収納箱１を組み立てる手順について説明する。最初に前準備として棚板材３と補強板材４ａ、４ｂの折り曲げを実施しておく。棚板材３は図５に示すように棚板下補強板Ｎ２を棚板下片Ｌ２の上に、棚板上補強板Ｎ１を棚板上片Ｌ１の上にそれぞれ折り重ねる。続いて折り重ねた棚板上補強板Ｎ１、棚板上片Ｌ１を棚板間隔片Ｍ１の上下の折り線２３、２４にて折り曲げ、折り重ねた棚板下補強板Ｎ２、棚板下片Ｌ２の上に折り重ねる。これにより棚板上片Ｌ１、棚板下片Ｌ２の間には棚板間隔片Ｍ１の上下幅分の隙間が確保され、その隙間に棚板上補強板Ｎ１、棚板下補強板Ｎ２が補強目的で挟み込まれた状態となる。最後に図６の斜視図に示すように棚板上片Ｌ１の左右の棚板上左フラップＰ１、棚板上右フラップＰ２を上方に、棚板下片Ｌ２の左右の棚板下左フラップＰ３、棚板下右フラップＰ４を下方にそれぞれ折り線２７、２８、２９、３０にて直角に折り曲げておく。
【００２１】
補強板材４ａも前準備として図７に示すように補強板上フラップＨ１を補強上板Ｊ２の表面側に、補強板下フラップＨ２を補強下板Ｊ１の表面側にそれぞれ折り重ねる。続いて折り重ねた補強板上フラップＨ１、補強上板Ｊ２を折り線２０にて折り曲げ、折り重ねた補強板下フラップＨ２、補強下板Ｊ１の上に折り重ねる。最後に図８の斜視図に示すように補強下板Ｊ１の左右の補強板左フラップＫ１、補強板右フラップＫ２をそれぞれ折り線２３、２４にて補強上板Ｊ２とは反対方向の下向きに直角に折り曲げておく。補強板材４ｂも同様に前準備しておく。
【００２２】
最後に、これら前準備した棚板材３、補強板材４ａ、４ｂを本体板材２に組み付けて収納箱１を完成させる全体組み立ての手順について説明する。最初に図９に示すように本体板材２の左側板Ａ２、右側板Ａ３をそれぞれ折り線５、６にて背面板Ａ１の表面側に直角に折り曲げる。次に、図６に示す前準備した棚板材３を背面板Ａ１の上下方向中間位置に図１０に示すように手で仮配置きする。その状態にて左側板Ａ２の左下段フラップＢ２、右側板Ａ３の右下段フラップＢ４をそれぞれの左側板Ａ２、右側板Ａ３の内側に折り重ねる。これにより図６に示す棚板材３の棚板下左フラップＰ３、棚板下右フラップＰ４がそれぞれ左側板Ａ２と背面板Ａ１、右側板Ａ３と背面板Ａ１との間に挟まれた状態となり棚板材３は手を放しても落下しなくなる。続いて左側板Ａ２の左上段フラップＢ１、右側板Ａ３の右上段フラップＢ３もそれぞれ左側板Ａ２、右側板Ａ３の内側に折り重ね、棚板材３の棚板上左フラップＰ１、棚板上右フラップＰ２を背面板Ａ１との間に挟み込む。これにより棚板材３は図１１に示すように左側板Ａ２、右側板Ａ３に固定された状態となる。
【００２３】
次に、収納箱１の上面１０５の組み立てについて説明する。前準備した図８に示す補強板材４ａを、その補強板左フラップＫ１は左上段フラップＢ１と背面板Ａ１の重なり部の隙間、補強板右フラップＫ２は右上段フラップＢ３と背面板Ａ１の重なり部の隙間に差し込むことにより背面板Ａ１の上端部に取り付ける。次に、左側板Ａ２の左上辺フラップＣ１と、右側板Ａ３の右上辺フラップＣ３をそれぞれ折り線９、１０にて直角に折り曲げて補強板材４ａの上面を図１２に示すように覆う。続いて背面板Ａ１の上端に接続された上面板Ｄ１を折り線１３にて直角に折り曲げて左上辺フラップＣ１、右上辺フラップＣ３の上面に覆い被せる。更にその状態で上面板Ｄ１に接続された上面幅片Ｅ１を折り線１５、１６にて２回、直角に折り曲げ、左上辺フラップＣ１、右上辺フラップＣ３と補強板材４ａを間に包み込むようにして上面フラップＦ１で補強板材４ａの下面側を覆う。
【００２４】
これにより図１に示すように収納箱１の上面１０５が完成する。収納箱１の下面１０６も同様の手順で組み立てる。この場合、補強板材４ｂは図８を上下反対にした姿勢で取り付ける。なお、左上段フラップＢ１、右上段フラップＢ３の横幅は左側板Ａ２、右側板Ａ３の横幅と同じ、又は、それよりも僅かに広い幅に形成して左上段フラップＢ１、右上段フラップＢ３の横方向先端部を背面板Ａ１に接触させることにより、接触部の摩擦により左上段フラップＢ１、右上段フラップＢ３が左側板Ａ２、右側板Ａ３から離れて開くことを防ぐことができる。ようにする。上面フラップＦ１についても、補強板材４ａの下面側を覆った状態で横方向先端部が折り重ねた左側板Ａ２、右側板Ａ３の表面に摩擦力を伴って接触するようにその横幅を形成しておくことで上面フラップＦ１が補強板材４ｂの下面から離れて開いてしまうことを防ぐことができる。
【００２５】
但し、そのような摩擦力のみで左上段フラップＢ１、右上段フラップＢ３、及び上面フラップＦ１が開くのを防止することは万全とはいえないため、それらが開くのを防止するため次のようにするとよい。即ち、図２に示すように上面フラップＦ１の左右の上端部には幅方向への突起Ｑ１、Ｑ２を、下面フラップＦ２の左右の下端部にも同様な突起Ｑ３、Ｑ４を設ける。一方、左上段フラップＢ１の左上端部には切欠きＲ１を、右上段フラップＢ３の右上端部にも同様の切欠きＲ２を形成し、左下段フラップＢ２、右下段フラップＢ４の端部にも同様の切欠きＲ３、Ｒ４を形成する。
【００２６】
図１３の（１）は図１に示すように組み立てた状態における左上段フラップＢ１の前方斜め上方から見た斜視図、図１３の（２）は同じく組み立てた状態における前方斜め上方から見た上面フラップＦ１の斜視図である。この二つが収納箱１の背面板Ａ１の左上方端部で組み合わされると、上面フラップＦ１の突起Ｑ１が左上段フラップＢ１の切欠きＲ１に嵌まり込むことによりその突起Ｑ１の下面が左上段フラップＢ１の板厚部分に当接して上面フラップＦ１が下方に開くことが阻止される。一方、組み合わされた状態では左上段フラップＢ１の上端部は上面フラップＦ１の板厚部分に当接して左上段フラップＢ１が横方向に開くことが阻止される。背面板Ａ１の右上方端部も同様であり、これらにより上面フラップＦ１、左上段フラップＢ１、右上段フラップＢ３は共に開くことが阻止される。収納箱１の下側でも同様にして下面フラップＦ２、左下段フラップＢ２、右下段フラップＢ４が開くことが防止される。このような工夫を施すことにより収納箱１を組み立てた状態に維持させることができる。なお、左上段フラップＢ１、右上段フラップＢ３、左下段フラップＢ２、右下段フラップＢ４の縦方向端部中央に半円形の切り込みが設けてあるのは解体するときの便宜のためである。
【００２７】
以上説明した本実施形態の収納箱１は全て紙で構成されており、接着剤やファスナーを用いることなく、また特別の工具も用いずに容易に組み立て、解体できる利点を有する。内部は棚板で上下２段に仕切られており、比較的軽量な物品を分類して収納しておくのに適している。
【００２８】
（第２の実施形態）
図１４は第２の実施形態に係る組立式収納箱１ａの組み立て完了後の外観斜視図である。この組立式収納箱１ａは、内部に仕切り用棚板２０１を２個、水平に取り付けて３段式とした収納箱である。図１５は組立式収納箱１ａの両側面２０２、２０３、背面２０４、上面（天井）２０５、下面（底面）２０６を構成する本体板材２ａの展開図である。図２に示した第１の実施形態に係る組立式収納箱１の本体板材２と異なる点は、上下方向に３段としているため背面板Ａ１、左側板Ａ２、右側板Ａ３の上下方向長さを長くし、左上段フラップＢ１、左下段フラップＢ２との間、右上段フラップＢ３、右下段フラップＢ４との間に棚板２０１の厚みに相当する間隔を設けてそれぞれ左中段フラップＢ５、右中段フラップＢ６を追加で設けてある点である。
【００２９】
２式の棚板２０１を構成する板材は図３に示した第１の実施形態の棚板材３と同じであり、その取り付け方も同じである。上面２０５、下面２０６を補強するための板材も図４に示した第１の実施形態の補強板材４ａ、４ｂと同じであり、その取り付け方も同じである。
【００３０】
本実施形態の収納箱１ａも全て紙で構成されており、接着剤やファスナーを用いることなく、また特別の工具も用いずに容易に組み立て、解体できる利点を有する。内部は棚板で上下方向３段に仕切られており、比較的軽量な物品を分類して収納しておくのに適している。
【符号の説明】
【００３１】
図面中、１、１ａは組立式収納箱、２は本体板材、３は棚板材、４ａ、４ｂは補強板材、１０１、２０１は棚板、１０２、２０２は左側面、１０３、２０３は右側面、１０４、２０４は背面、１０５、２０５は上面、１０６、２０６は下面を示す。
【図１】
0003183342.tif 000003
【図２】
0003183342.tif 000004
【図３】
0003183342.tif 000005
【図４】
0003183342.tif 000006
【図５】
0003183342.tif 000007
【図６】
0003183342.tif 000008
【図７】
0003183342.tif 000009
【図８】
0003183342.tif 000010
【図９】
0003183342.tif 000011
【図１０】
0003183342.tif 000012
【図１１】
0003183342.tif 000013
【図１２】
0003183342.tif 000014
【図１３】
0003183342.tif 000015
【図１４】
0003183342.tif 000016
【図１５】
0003183342.tif 000017